(57)【要約】【課題】裏板の止め具を備えず、簡単な構造で、被展示物を容易に交換可能に保持し保護する展示用具を提供する。【解決手段】略板状の被展示物９を保持し保護する展示用具は、本体部１０ｂの両端に折返部１１を形成した矩形状の透明板１０と、被展示物９を収容する開口部３１ａを備えた収容枠を備える中板部３１および裏板部３２を連結部３５で折り曲げ可能に連結した板部材３０と、を有する。板部材３０の中板部３１は、端部から屈曲自在に延出した延出部３１０を備える。透明板１０の本体部１０ｂと折返部１１の間に板部材３０の中板部３１を配置するとともに、中板部３１と裏板部３２で折返部１１を挟んだ状態で、中板部３１から延出した延出部３１０と裏板部３２の端部を着脱自在に係止する係止部（５０、４０）を備え、延出部３１０および連結部３５により、透明板１０の折返部１１を挟持する構造を有する。【選択図】図５
2016214503.tif 000002
【特許請求の範囲】
【請求項１】
略板状の被展示物を保持し保護する展示用具であって、
本体部の両端に折返部を形成した矩形状の透明板と、
被展示物を収容する収容枠を備える中板部および裏板部を連結部で折り曲げ可能に連結した板部材と、を有し、
前記板部材の中板部は、端部から屈曲自在に延出した延出部を備え、
前記透明板の本体部と折返部の間に前記板部材の前記中板部を配置するとともに、前記中板部と前記裏板部で前記折返部を挟んだ状態で、前記中板部から延出した前記延出部と前記裏板部の端部を着脱自在に係止する係止部を備え、
前記延出部および前記連結部により、前記透明板の前記折返部を挟持する構造となっていることを特徴とする
展示用具。
【請求項２】
前記透明板の折返部は、前記延出部および前記連結部により挟持される端部に切欠き部を備えることを特徴とする請求項１に記載の展示用具。
【発明の詳細な説明】
【技術分野】
【０００１】
本発明は、展示用具に関するものである。
【背景技術】
【０００２】
写真・版画・ポスターなどを装飾し保護する額縁が知られている。一般的な額縁は、フレーム材（枠組）、ガラス、マット（厚紙：ガラスと作品物を密着させない部材）、中紙（作品の裏側に配置される部材）、額縁の裏板、裏板を止める金具、などにより構成されている。額縁の枠材として木材、樹脂材などが採用されている。一般的な額縁は、装飾枠組本体内に内容物として被掲示物（被展示物）を納めた構造を有する。この額縁は、装飾物を主体として形成した構造であり、装飾枠材（額縁）の意匠は購入の目的の一つとして位置付けられる。
【先行技術文献】
【特許文献】
【０００３】
【特許文献１】特開２００２−１１９３９８号公報
【発明の概要】
【発明が解決しようとする課題】
【０００４】
しかしながら、従来の額縁は、枠材質の限られた伝統的な材質部材からなる構造を有し、比較的重く、安全性が低い場合がある。従来の額縁は、地震などにより落下した場合、ガラスの飛散、枠材の外れ、などの危険性を伴う。このため、落下した場合であっても、ガラスの飛散、枠材の外れ、などを生じることがない安全な展示用具が望まれている。
【０００５】
また、一般的な額縁は、複数の部材を組み合わせて固定した複雑な構造であり、高い製造コストを有する。このため、簡単な構造で、安価な展示用具が望まれている。
【０００６】
また、一般的な額縁では、写真などを収容する時や、写真などを取り出す時に、煩雑な操作を行うことを要し、不便に感じる場合がある。比較例として、一般的な額縁へ写真を収容するときの動作を説明する。一般的な額縁の裏側には、裏板の押さえ用の複数の止め金具（裏板係止爪）が設けられている（例えば、特許文献１の図９参照）。止め金具（裏板係止爪）を約９０°〜１８０°回転させて、フレーム材（枠組）から裏板、中敷紙、マットを取り出す。次に、その取り出したマットの裏面側に写真をテーピングにより固定し、上記した手順の逆の手順でフレームに、写真を固定したマット、中敷板、裏板を納めた後、金具を戻し係止状態とする。
このため、簡単な構造で、写真などを容易に収容、または、写真などを容易に取り出すことができる展示用具が望まれている。
【０００７】
本発明は、このような問題に対処することを課題の一例とするものである。すなわち、裏板の止め金具を備えず、簡単な構造で、被展示物を容易に交換可能に保持し保護する展示用具を提供すること、などを目的とする。また、安全性、機能性、容易性、意匠性、実用性、産業性に優れた展示用具を提供することを目的とする。
【課題を解決するための手段】
【０００８】
このような目的を達成するために、本発明による展示用具は、以下の構成を少なくとも具備するものである。
略板状の被展示物を保持し保護する展示用具であって、
本体部の両端に折返部を形成した矩形状の透明板と、
被展示物を収容する収容枠を備える中板部および裏板部を連結部で折り曲げ可能に連結した板部材と、を有し、
前記板部材の中板部は、端部から屈曲自在に延出した延出部を備え、
前記透明板の本体部と折返部の間に前記板部材の前記中板部を配置するとともに、前記中板部と前記裏板部で前記折返部を挟んだ状態で、前記中板部から延出した前記延出部と前記裏板部の端部を着脱自在に係止する係止部を備え、前記延出部および前記連結部により、前記透明板の前記折返部を挟持する構造を有することを特徴とする。
前記透明板の折返部は、加熱折曲げ加工により形成されていてもよいし、平板の本体部の両端部に、Ｌ字形状部材や２つの細長板部材を接着剤等により接着して形成されていてもよく、他の所定の製造方法により形成されてもよい。
【発明の効果】
【０００９】
本発明によれば、簡単な構造で、被展示物を容易に交換可能に保持し保護する展示用具を提供することができる。また、本発明によれば、安全性、機能性、容易性、意匠性、実用性、産業性に優れた展示用具を提供することができる。
【図面の簡単な説明】
【００１０】
【図１】本発明の実施形態に係る展示用具の一例を示す図、（ａ）は展示用具の正面図、（ｂ）は（ａ）に示したＢ−Ｂ’線に沿った側面断面の一例を示す図。
【図２】本発明の実施形態に係る展示用具の透明板の一例を示す図、（ａ）は透明板の正面図、（ｂ）は背面図。
【図３】本発明の実施形態に係る展示用具の板部材の一例を示す図、（ａ）は正面図、（ｂ）は側面図。
【図４】本発明の実施形態に係る展示用具の分解斜視図。
【図５】本発明の実施形態に係る展示用具の動作の一例を示す斜視図。
【図６】本発明の実施形態に係る展示用具の動作の一例を示す斜視図、（ａ）は裏板部を閉じた状態の一例を示す斜視図、（ｂ）は係止部により裏板部と中板部を係止した状態の一例を示す斜視図。
【図７】本発明の実施形態に係る展示用具を額縁に収容した状態の一例を示す図、（ａ）は部分背面図、（ｂ）は部分断面図。
【図８】本発明の実施形態に係る展示用具の中板部と裏板部と係止部の動作の一例を説明するための図、（ａ）は非係止状態の一例を示す部分断面部、（ｂ）は係止状態の一例を示す部分断面図、（ｃ）は額縁に展示用具を収容した状態の一例を示す部分断面図。
【図９】マグネットを着脱可能な金属部材を設けた展示用具の一例を示す断面図。
【図１０】枠体に取り付けた展示用具の一例を示す図。
【図１１】展示用具の一例を示す図、（ａ）は被展示物を収容する収容部材（固定部材）の一例を示す斜視図、（ｂ）は比較的長い立設部（折返部）を備える透明板の一例を示す斜視図。
【図１２】比較的長い屈曲部および連結部を備える板部材の一例を示す斜視図。
【発明を実施するための形態】
【００１１】
本発明の実施形態に係る展示用具は、略板状の被展示物を保持し保護する。この展示用具は、本体部の両端に折返部を形成した矩形状の透明板と、被展示物を収容する収容枠を備える中板部および裏板部を連結部で折り曲げ可能に連結した板部材を有する。展示用具の詳細な構成については後述する。
本発明の実施形態に係る展示用具は、従来の額縁枠組みや裏板の止め金具などを必要とせず、被展示物を容易に交換可能な機能と、高い意匠性を有する。また、枠組み部材の製造コストを削減し、多様な意匠性の高い展示用具を提供することができる。
【００１２】
以下、図面を参照しながら、本発明の実施形態を詳細に説明する。本発明の実施形態は図示の内容を含むが、これのみに限定されるものではない。なお、以後の各図の説明で、既に説明した部位と共通する部分は同一符号を付して重複説明を一部分省略する。
【００１３】
図１は本発明の実施形態に係る展示用具１００の一例を示す図である。詳細には図１（ａ）は展示用具１００の正面図、図１（ｂ）は図１（ａ）に示したＢ−Ｂ’線に沿った側面断面の一例を示す図である。図１（ｂ）において、左側に表面側を示し、右側に裏面側（背面側）を示す。
【００１４】
図２は本発明の実施形態に係る展示用具１００の透明板の一例を示す図である。詳細には、図２（ａ）は透明板１０の正面図、図２（ｂ）は透明板１０の背面図である。
【００１５】
本発明の実施形態に係る展示用具１００は、透明板１０と、板部材３０と、などを有する。尚、展示用具１００は、枠状のマット２１を必要に応じて適宜備えていてもよい。マット２１は、例えば、厚紙などで構成され、透明板１０と被展示物９との間に配置され、透明板１０と被展示物９を密着させずに隙間を形成する機能を有する。
【００１６】
＜透明板１０＞
透明板１０は、透明性の材料、例えば、アクリルなどの樹脂材料で形成され、略矩形状に形成されている。透明板１０の本体部１０ｂの両端、詳細には、本実施形態では、一対の短辺の端部に折返部１１が形成されている。
【００１７】
詳細には、折返部１１は、本体部１０ｂの端部から裏面側に屈曲して延出する立設部１１ｔと、立設部１１ｔから、本体部１０ｂの内側に向かって延出した折返し延出部１１ｓを有する。つまり、折返部１１は、断面略Ｕ字形状に形成されている。
具体的には、図２（ｂ）に示すように、透明板１０の上部に折返部１１（１１ａ）が形成され、下部に折返部１１（１１ｂ）が形成されている。折返部１１ａと折返部１１ｂの端部の距離は、被展示物のサイズと同じ、または、それよりも大きくなるように規定されている。
【００１８】
また、図２（ｂ）に示すように、折返部１１の左右端部に、切欠き部１２が形成されている。詳細には、折返部１１（１１ａ）の左右端部に切欠き部１２（１２１）、１２（１２２）が形成されている。折返部１１（１１ｂ）の左右端部に切欠き部１２（１２３）、１２（１２４）が形成されている。この切欠き部１２の大きさは、例えば、板部材３０の厚み程度に規定されている。
【００１９】
＜板部材３０＞
図３は本発明の実施形態に係る展示用具の板部材３０の一例を示す図である。詳細には、図３（ａ）は板部材３０の正面図、図３（ｂ）は板部材３０の側面図である。図１、図３を参照しながら、板部材３０の構成を説明する。
【００２０】
板部材３０は、被展示物９を収容する収容枠を備える中板部３１と、裏板部３２と、中板部３１と裏板部３２を折り曲げ可能に連結する連結部３５と、などを有する。
板部材３０の形成材料としては、ボール台紙などの紙、樹脂、などの所定の材料を挙げることができる。本実施形態では、中板部３１と、裏板部３２と、連結部３５は、ボール台紙などの紙材により、一体形成されている。
【００２１】
中板部３１は、被展示物を収容する収容枠を備える。詳細には、中板部３１の本体部３１ｂの中央部に、開口部３１ａが形成されている。この開口部３１ａに、写真などの被展示物が収容される。
中板部３１の一方の端部には、連結部３５を介して裏板部３２が連結されており、中板部３１の他方の端部には、屈曲自在に延出した延出部３１０が形成されている。延出部３１０は屈曲自在な屈曲部３６を備え、中板部３１に連結されている。延出部３１０には、係止部４０が設けられている。係止部４０は、詳細には、両端部（図３（ａ）の上下端部）付近に係止部４１、係止部４２が設けられ、その係止部４１と係止部４２との間に係止部４３が設けられている。
【００２２】
また、本実施形態では、延出部３１０は、３つの部材、延出部３１１、延出部３１２、延出部３１３を有する。延出部３１１と延出部３１３の間に隙間６１が形成され、延出部３１２と延出部３１３の間に隙間６１が形成されている。延出部３１１に係止部４１が設けられ、延出部３１２に係止部４２が設けられ、延出部３１３に係止部４３が設けられている。
本実施形態では、裏板部３２、中板部３１、延出部３１０、屈曲部３６は、ボール台紙などの所定の同一材料により一体形成されている。
【００２３】
裏板部３２は、略矩形状に形成された本体部３２ｂを有し、本体部３２ｂの中央部の表面側の中央部に押え板部３２１が設けられている。押え板部３２１は、中板部３１の開口部３１ａと同じ大きさ、又は僅かに小さいサイズに形成されている。押え板部３２１を裏板部３２に設けて一体化したので、被展示物の交換時など、例えば、その都度、押え板部を別途取り外す必要性がない。
【００２４】
裏板部３２の一方の端部は、連結部３５を介して中板部３１に連結されており、裏板部３２の他方の端部の裏面側に、係止部５０が設けられている。本実施形態では、複数の係止部５０が裏板部３２に設けられている。詳細には、裏板部３２の両端部付近に係止部５１、係止部５２が設けられ、係止部５１と係止部５２の間に係止部５３が設けられている。
被展示物を収容時、係止部５１は係止部４１に着脱自在に係止するように構成され、係止部５２は係止部４２に着脱自在に係止するように構成され、係止部５３は係止部４３に着脱自在に係止するように形成されている。
係止部４０（４１、４２、４３）、係止部５０（５１、５２、５３）としては、面ファスナー、磁石などを採用することができる。
【００２５】
＜展示用具の製造方法＞
次に、本発明の実施形態に係る展示用具の製造方法の一例を説明する。
【００２６】
先ず、透明板１０の製造方法の一例を説明する。
例えば、アクリル材などの所定の透明板材を、プラスチック専用の回転式丸鋸などの加工機械で所定の大きさに断裁する。
次に、アクリル材の本体部の両端部付近（対角面）の表面側を、アクリルヒーターなどのヒーターにより加熱した後、折曲げ加工することにより、折返部を形成する。折返部として、例えば、被展示物を収容する板部材などの固定部材の厚み分等を考慮して折曲げ加工を行うことにより折返部を形成する。
次に、折返部の側面部分の両端を、ボール台紙などで形成された板部材３０が巻き込む厚み分をカットすることにより切欠き部を形成する。この切欠き部は、完成時、展示用具を表面側から見た場合に、板部材３０の台紙ボールなどが端部から見えないようにするために形成する。
尚、透明板の折返部は、断面略Ｕ字形状の部分を示し、この折返部の形状を形成することができれば、任意の製造方法を採用することができる。詳細には、透明板の折返部は、例えば、加熱折曲げ加工により形成してもよいし、アクリル板などの板材を断裁して形成した２つの細長板部材やＬ字形状部材を、平板の本体部の両端部に接着剤等により接着して形成してもよく、また、他の所定の製造方法により形成してもよい。
【００２７】
次に、板部材３０の製造方法の一例を説明する。
本実施形態では、所定の大きさの台紙を用意し、例えば、トンプソン式型加工（プレス加工）などの所定の加工方法により、折り曲げ自在な連結部３５、屈曲部３６、開口部３１ａ、切り込みにより隙間６１を形成する。係止部４０（４１、４２、４３）、係止部５０（５１、５２、５３）として、面ファスナー（マジックテープ（登録商標）等）やマグネットなどを所定の位置に設ける。そして、押え板部３２１を裏板部の所定の位置に配置する。
【００２８】
次に、マットの製造方法の一例を説明する。
無酸性紙などの所定の紙材を用意し、カッター式刃物で所定の大きさ、所定の形状に断裁する。マットの窓抜き（穴）は、専用のマットカッターによりカット断裁により形成する。
【００２９】
図４は本発明の実施形態に係る展示用具の分解斜視図である。図５は本発明の実施形態に係る展示用具の動作の一例を示す斜視図である。
【００３０】
本体部２１ｂの中央部に開口部２１ａを備える矩形状のマット２１を、透明板１０の本体部１０ｂと折返部１１との間にスライドさせて配置する。
【００３１】
次に、板部材３０の中板部３１を、透明板１０の本体部１０ｂと折返部１１との間に、スライドさせて配置する。この際、透明板１０の本体部１０ｂと中板部３１の間にマット２１を配置する。
【００３２】
次に、写真などの被展示物９を、中板部３１の開口部３１ａに収容する。本実施形態では、マット２１の開口部は、中板部３１の開口部３１ａよりも小さく形成されている。このとき、被展示物９をマット２１に無酸性粘着テープなどの固定手段により固定してもよい。
【００３３】
次に、板部材３０の連結部３５で折り曲げ、裏板部３２を閉じた状態とする。この場合、押え板部３２１（図５）により被展示物９が表面側に押圧した状態となる。
図６は本発明の実施形態に係る展示用具の動作の一例を示す斜視図である。詳細には、図６（ａ）は裏板部３２を閉じた状態の一例を示す斜視図、図６（ｂ）は係止部４０、係止部５０により裏板部３２と中板部３１を係止した状態の一例を示す斜視図である。図６（ａ）、図６（ｂ）に示したように、延出部３１０の屈曲部３６にて屈曲させて、延出部３１０（３１１、３１２、３１３）に設けられた係止部４０（４１、４２、４３）を、裏板部３２に設けた係止部５０（５１、５２、５３）に係止させる。
【００３４】
この場合、中板部と裏板部３２で折返部１１を挟んだ状態で、延出部３１０および連結部３５により、透明板１０の折返部１１を挟持した状態となっている。つまり、この状態では、延出部３１０および連結部３５により折返部１１を挟持していることにより、透明板１０と板部材３０とがずれることなく位置決め固定されている。
また、折返し部に切欠き部を設けたことにより、透明板の端部から板部材がはみ出ることがない。
【００３５】
図７は本発明の実施形態に係る展示用具１００を額縁８１に収容した状態の一例を示す図である。詳細には、図７（ａ）は部分背面図、図７（ｂ）は部分断面図である。尚、図７（ａ）、図７（ｂ）において、展示用具１００、額縁８１の一部分のみ示している。
所定の形状の額縁８１の内周部に、本発明の実施形態に係る展示用具１００を配置してもよい。展示用具１００は切欠き部を備えているので、透明板の端部から板部材などがはみ出ておらず、透明板の大きさに規定されており、透明板１０の大きさの内周部を備える額縁８１に展示用具１００を容易に収容することができる。
【００３６】
図８は本発明の実施形態に係る展示用具の中板部３１と裏板部３２と係止部４０、係止部５０の動作の一例を説明するための図である。詳細には、図８（ａ）は非係止状態の一例を示す部分断面部、図８（ｂ）は係止状態の一例を示す部分断面図、図８（ｃ）は額縁８１に展示用具を収容した状態の一例を示す部分断面図である。尚、図８（ａ）、図８（ｂ）、図８（ｃ）には、展示用具等の一部分のみ示している。
【００３７】
本実施形態では、展示用具を額縁８１に収容した場合、額縁８１の止め金具８２により係止される展示用具の裏面側の位置が、同じ高さ（同一平面）となるように構成されている。詳細には、本実施形態では、中板部３１と裏板部３２が２枚の紙材を一体形成した板材により構成されている。例えば、裏板部３２の端部に、１つの紙材の厚み分の段部が形成されており、その段部に係止部５３などの係止部５０を設ける。
中板部３１の端部には、１つの紙材の厚み分の屈曲部３６、延出部３１３などの延出部３１０が形成されている。延出部３１０には係止部４３などの係止部４０が設けられている。裏板部３２と中板部３１の間に透明板の折返部１１が配置されている。
【００３８】
図８（ｂ）に示したように、延出部３１０の屈曲部３６を屈曲させて、延出部３１０に設けられた係止部４０を、裏板部３２に設けた係止部５０に係止させる。この状態で、段部３１０ｕが形成されるように延出部３１０が構成されている。この段部３１０ｕの端面と裏板部３２の裏面３２ｔの位置が、同じ高さ（同一平面）となるように構成されている。
このため、図８（ｂ）に示したように、額縁８１に展示用具を収容し、額縁８１の裏面に設けられた止め金具８２により、展示用具の裏面側で、同一平面に配置された、段部３１０ｕの端面と裏板部３２の裏面３２ｔを容易に係止することができる。
【００３９】
額縁８１から展示用具を取り外す場合、止め金具８２を展示用具に対して被係止状態にした後、展示用具を取り外す。
【００４０】
図９はマグネット８８を着脱可能な金属部材８７を設けた展示用具１００の一例を示す断面図である。上述した実施形態で説明した部位と共通する部分は同一符号を付して重複説明を一部分省略する。
図９に示すように、展示用具１００は、金属部材８７を、マット２１の裏面側などの所定位置に設けてもよい。この場合、透明板１０の表面側にマグネット８８を容易に着脱自在に配置することができる。例えば、リボンや花、枠体（額縁等）などの装飾体にマグネット８８を設けることにより、装飾体を透明板１０の表面側に容易に着脱自在に配置することができる。
【００４１】
図１０は装飾体としての枠体８５に取り付けた展示用具１００の一例を示す図である。
枠体などの装飾体は任意の形状であってよい。図１０に示した例では、展示用具１００を着脱自在に取り付けた枠体８５がハート形状に形成されている。この枠体８５には、例えば、略中央部に窓部８５ａが形成されており、窓部８５ａの周囲の裏面側にマグネット８８などの取付部が設けられている。このため、金属部材８７を備えた展示用具１００を枠体８５に着脱自在に容易に取り付けることができる。枠体８５の形状は、例えば、矩形状、円形状、楕円形状など、任意の形状であってもよい。
【００４２】
図１１、図１２は展示用具の一例を示す図である。詳細には、図１１（ａ）は被展示物を収容する収容部材７（固定部材）の一例を示す斜視図であり、図１１（ｂ）は比較的長い立設部１１ｔ（折返部１１）を備える透明板１０の一例を示す斜視図である。図１２は比較的長い屈曲部３６および連結部３５を備える板部材３０の一例を示す斜視図である。尚、上述した実施形態と同じ構成要素については同じ符号を付して説明を省略する。
【００４３】
図１１（ａ）に示した例では、被展示物を収容する収容部材７（固定部材）に、被展示物を収容するための凹部７ａまたは孔部が形成されている。この凹部７ａまたは孔部には、厚みのある被展示物（油絵のキャンバス等）が収容される。尚、凹部７ａまたは孔部は一つであっても、複数であってもよい。
図１１（ｂ）に示したように、透明板１０の折返部１１の立設部１１ｔの長さ（本体部１０ｂに直交する方向の長さ）は、被展示物を収容する収容部材７（固定部材）の厚みや板部材３０の屈曲部３６及び連結部３５の長さに応じて規定される。図１１に示した例では、収容部材７（固定部材）が比較的厚く形成されており、それに応じて透明板１０の折返部１１の立設部１１ｔが比較的長く形成されている。
【００４４】
以上、説明したように、本発明の実施形態に係る展示用具１００は、略板状の被展示物９を保持し保護する。展示用具１００は、本体部１０ｂの両端に折返部１１を形成した矩形状の透明板１０と、被展示物９を収容する開口部３１ａである収容枠を備える中板部３１および裏板部３２を連結部３５で折り曲げ可能に連結した板部材３０とを有する。板部材３０の中板部３１は、端部から屈曲自在に延出した延出部３１０を備える。透明板１０の本体部１０ｂと折返部１１の間に板部材３０の中板部３１を配置するとともに、中板部３１と裏板部３２で折返部１１を挟んだ状態で、中板部３１から延出した延出部３１０と裏板部３２の端部を着脱自在に係止する係止部（５０、４０）を備え、延出部３１０および連結部３５により、透明板１０の折返部１１を挟持する構造を有する。
このため、裏板の止め具を備えず、簡単な構造で、被展示物を容易に交換可能に保持し保護する展示用具を提供することができる。
【００４５】
具体的には、本実施形態に係る展示用具１００は、中板部および裏板部の機能を含むボール台紙からなる板部材３０と、アクリルなどの透明部材の両側を折り返した透明板１０を備え、裏板部により裏面を包み込む構造となっている。折り込まれたボール台紙の端部付近には、面ファスナー（マジックテープ（登録商標）等）などの係止部を備え、折り込まれ重なり合った状態で係止する。こうすることにより、アクリルなどの透明板１０とボール台紙などの板部材３０が一体となり、従来の金属製の止め具等を必要とせず、金属製特有の腐食等からなる危険性を解消でき、容易に収納物（被展示物）を出し入れすることができる。
【００４６】
また、本発明の実施形態に係る展示用具１００の透明板１０の折返部１１は、延出部３１０および連結部３５により挟持される端部に切欠き部１２を備える。
このため、写真や絵画などを収容時、板部材３０の延出部３１０および連結部３５により、折返部１１を挟持した状態で、透明板１０の本体部１０ｂの端部から、板部材３０をはみ出すことを防止した構造となっている。つまり、展示用具１００の見栄えがよい。
また、例えば、展示用具１００の周囲に額縁を設ける場合、展示用具１００は透明板１０の本体部１０ｂの端部から板部材３０をはみ出さない構造であるので、透明板１０と略同じ内周部を備える額縁に、容易に展示用具を収容することができる。
【００４７】
また、本発明の実施形態に係る展示用具１００は、写真等を納めるための機能的・容易的な額縁兼インナーとして用いることができる。
また、具体的には、この展示用具１００は、アクリルの加工と加工ボール台紙などにより形成された簡単な構造を有し、必要目的の最小限化、安全性、機能性、容易性、意匠性、実用性、産業性を多く含む構造である。
また、展示用具１００は、アクリルなどの樹脂材料を主体に形成することで、落下の際の飛散を低減し、高い安全性を有する。
また、展示用具１００は、加工をしたアクリル材に加工されたボール台紙を結合することで一体化する。一体化されたボール台紙には、機能性と容易性を考案した加工が含まれており、実用性が高くなり、従来の額縁の構造的な課題を解消できる。
【００４８】
また、透明板１０の材料として、アクリルなどの製造コストの安い材料を採用することで、製造コストを低減することができる。また、アクリルなどの樹脂材は、ガラスと比較して軽量であるので、展示用具１００は比較的軽量であり、大きな強度を有する。このため、落下時の危険性が低減する。
【００４９】
また、マットに額縁用の意匠性を持たせることで、多様な額縁用の意匠性を有する展示用具１００を提供することができる。
【００５０】
また、本発明の実施形態に係る展示用具は、本体が簡易な構造で形成されており、額縁構造での内容物を保護するための基本的要素をすべて簡易に満たしており、簡易的な製造機械により容易製造可能である。
【００５１】
また、本発明の実施形態に係る展示用具は、額縁本来の縁回りの部位を、マットのデザインにより意匠化する。例えば、収納される物の用途（例：遺影写真）に応じて「黒白」のデザインマットをスライド装着することができる。また、デザインマットを用いることで、アクリルなどの透明板を介して縁取りを演出することができる。また、目的に応じて、所望のデザインのマットを自在に交換することができる。
【００５２】
また、本発明の実施形態に係る展示用具１００の一体構造物の薄さは、従来の額縁の収納部材の厚さと同等の薄さを（厚み）保持しており、展示用具１００の周囲に額縁を装着して使用することもできる。
【００５３】
また、本発明の実施形態に係る展示用具１００において、磁気材料（磁気素材）で形成されたマットを採用することにより、アクリルなどの透明板の表面に意匠性を有する様々な物体をマグネットにより着脱自在に装着することが可能となり、多様な意匠を演出できるフレーム性能を発揮することができる。
【００５４】
また、本発明の実施形態に係る展示用具１００は、写真などの収納物を容易に納めることができる。裏面にある面ファスナーを非係止状態とし、ボール台紙を開く、中は既に収納スペースであり写真などを入れボール台紙を閉じ、面ファスナーを係止するワンタッチ式である。
【００５５】
また、押え板部を裏板部と一体化したので、被展示物を交換時など、その都度、押え板部を別途取り外す必要がない。
【００５６】
また、本発明の実施形態に係る展示用具１００は、例えば、板部材３０の裏板部３２の裏面側に、プレス加工などにより形成された収納自在なスタンドを備えていてもよい。このスタンドにより、展示用具１００を縦長または横長に配置して使用することができる。
【００５７】
また、本発明の実施形態に係る展示用具１００は、アクリルなどの樹脂材や台紙などで構成され軽量であり、意匠を図れるものであるため、設置の際の不安感が軽減される。そのため、展示用具１００は、薄型のパネル的な物と同様な感覚で、版画等の美術品を収納することができ、設置場所を選ばなくてもよくなる。
【００５８】
また、本発明の実施形態に係る展示用具１００における被展示物として、例えば、「写真」、「遺影」、「ポスター」、「印刷物」、「賞状」、「版画」、「各証明書」、などの従来の額縁の用途全般とすることができる。特に、展示用具１００は、安全性と使用上の容易性に優れている。
【００５９】
また、本発明の実施形態に係る展示用具１００は、額縁枠を必要とする場合にも、容易に取り付けて使用でき、額縁が設置された状態でも容易に内容物を交換できる。
【００６０】
また、本発明の実施形態に係る展示用具１００は、便利な構造を備えた上で容易に掲示することが可能な額縁的インナーとして使用することができ、安全性が高く、「住宅室内」、「病院」、「企業」、「公共施設」、など広い分野で利用することができる。
【００６１】
また、本発明の実施形態に係る展示用具１００は、意匠性を時代的に創造的に開発していくことにより、現代の建造物への変化にも対応でき、「より求めたくなるような」意匠の開拓ができ、ユーザーへの提供により、産業を活性化できる。
【００６２】
また、本発明の実施形態に係る展示用具の効果等を以下にまとめて記載する。
写真、ポスター、絵画などを収納展示するための展示用額縁として用いることができる本発明の実施形態に係る展示用具は、表面側にアクリルなどの透視板（透明板）を設け、透視板の両端部を折り曲げ加工により折返部を形成し、その折返部の間に折り込み加工されたボール台紙などの板部材をスライド挿入可能な構造となっている。透視板（透明板）には切欠き部が形成されており、板部材（ボール台紙など）に設けた連結部や延出部が、切欠き部を介して透視板の折返部の端部を包み込むように折り畳まれ、係止部（５０、４０）により係止される。このため、透視板（透明板）と板部材（ボール台紙など）が一体となり、展示用具（展示用額縁など）が大きな強度を有する。
例えば、比較例として、２枚の透明アクリル板の間に写真などを挟み、透明アクリル板の四隅付近を突起部などで係止する展示用具では、突起部などの係止部を設けることを要する。また、比較例として、透明アクリル板に接着剤などで写真などを貼付する形態の展示用具では、接着剤を要する。
本発明の実施形態に係る展示用具では、写真などの被展示物を固定するための上記突起部や上記接着剤などが不要であり、簡単な構造で被展示物を透視板（透明板）に対して容易に着脱自在に固定することができる。
また、透視板（透明板）と透明板の裏面側の板部材（ボール台紙など）の間に意匠マットを配置した場合、そのマットは、収納物（被展示物）を保護するとともに、額縁の枠体を擬似的に表すことができる。この場合、額縁などの枠体を必要としない、軽量かつ安全な展示用具（展示用額縁）を提供することができる。
また、本発明の実施形態に係る展示用具は、係止部を非係止状態とし、裏板部を開閉することで、写真などの収納物（被展示物）をマットや板部材（ボール台紙など）の枠内に容易に出し入れすることができる構造となっている（ワンタッチ式構造）。
また、本発明の実施形態に係る展示用具では、透明板の本体部の正面側に、ネジ、粘着テープ、印字プリント粘着剤、突起状の固定部材などの不要な部材が設けられておらず、板部材により透明板が支持・固定された構造であり、且つ、被展示物よりも鑑賞者側（前面側）に透明板を配置した構造である。このため、展示用具は被展示物等の意匠性を最大に発揮することができる。
また、厚みのある被展示物、例えば、厚みのある油絵などを展示する場合、透視板（透明板）の折返部の折り込み幅（立設部の長さ）を、被展示物の厚みと同じ又は僅かに長く設定する。この場合、厚みのある被展示物（油絵のキャンバス等）を保持するために発泡材などの固定部材により、その被展示物を展示用具内に収容してもよい。このため、比較的厚みのある被展示物を容易に保護して展示可能な展示用具を提供することができる。
【００６３】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６４】
尚、上記実施形態では、矩形状の展示用具を縦長に使用したが、展示用具を横長に配置して使用してもよい。
【符号の説明】
【００６５】
９…被展示物（写真、絵画、版画、ポスターなど）
１０…透明板（アクリル板など）
１１、１１ａ、１１ｂ…折返部
２１…マット
２１ａ…開口部
３０…板部材
３１…中板部
３２…裏板部
３５…連結部
３６…屈曲部
４０、４１、４２、４３…係止部
５０、５１、５２、５３…係止部
６１…隙間
８１…額縁
８７…金属部材
８８…マグネット（磁石）
１００…展示用具
３１０、３１１、３１２、３１３…延出部
３２１…押え板部
【図１】
2016214503.tif 000003
【図２】
2016214503.tif 000004
【図３】
2016214503.tif 000005
【図４】
2016214503.tif 000006
【図５】
2016214503.tif 000007
【図６】
2016214503.tif 000008
【図７】
2016214503.tif 000009
【図８】
2016214503.tif 000010
【図９】
2016214503.tif 000011
【図１０】
2016214503.tif 000012
【図１１】
2016214503.tif 000013
【図１２】
2016214503.tif 000014